(57)【要約】    【課題】投票用紙の誤交付を効果的に防止できる投票用紙交付装置を提供すること。    【解決手段】投票用紙を１枚ずつ交付させる投票用紙交付装置において、コントローラ部９にケーブル９９を介して接続されたカラーセンサー８１と、コントローラ部９の背面の選挙種別指定スイッチと、複数の選挙種別の各々に対応した正規色情報を記憶しているデータテーブルと、選挙種別指定スイッチで指定された選挙種別の正規色情報を、データテーブルから取得する、正規色情報取得部と、カラーセンサー８１で読み取られた、収容部に収容する前の投票用紙の色情報を、読取色情報として設定する、読取色情報設定部と、正規色情報取得部によって取得された正規色情報と、読取色情報設定部によって設定された読取色情報と、を比較して、両者が一致するか否かを判定する、判定部と、判定結果が「不一致」である場合に、交付作動を中止する、交付中止部と、を備えている。【選択図】図１
2020021425.tif 000002
【特許請求の範囲】
【請求項１】
開閉蓋を有する装置本体内に、
複数枚の投票用紙を収容できる収容部と、
前記収容部に収容された前記投票用紙を、１枚ずつ、前記収容部から取り出して、搬送路を通して、用紙取出口から交付させる、用紙交付機構と、
を備えている、投票用紙交付装置において、
（１）前記装置本体外に設置されており、対象物の色情報を読み取る、カラーセンサーと、
（2a）前記カラーセンサーで読み取られた、基準指標物の色情報に基づいて、正規色情報を設定する、正規色情報設定部と、又は、（2b）選挙種別を入力する選挙種別入力手段、複数の選挙種別の各々に対応した正規色情報を、記憶している、データテーブル、及び、前記選挙種別入力手段によって入力された選挙種別に基づいて、該選挙種別に対応する正規色情報を、前記データテーブルから取得する、正規色情報取得部と、
（３）前記カラーセンサーで読み取られた、前記収容部に収容する前の前記投票用紙の色情報を、読取色情報として設定する、読取色情報設定部と、
（４）前記正規色情報設定部によって設定された又は前記正規色情報取得部によって取得された前記正規色情報と、前記読取色情報設定部によって設定された前記読取色情報と、を比較して、両者が一致するか否かを判定する、判定部と、
を備えていることを特徴とする、投票用紙交付装置。
【請求項２】
前記基準指標物の色情報及び前記投票用紙の色情報は、それぞれ、Ｒ値とＧ値とＢ値とによって規定されており、
前記正規色情報は、所定範囲のＲ値と、所定範囲のＧ値と、所定範囲のＢ値と、によって、規定されており、
前記判定部は、前記読取色情報のＲ値、Ｇ値、及びＢ値の各値が、前記正規色情報のＲ値、Ｇ値、及びＢ値の各範囲に、含まれない場合に「不一致」と判定し、含まれる場合に「一致」と判定するようになっている、
請求項１記載の投票用紙交付装置。
【請求項３】
前記判定部による判定結果が「不一致」である場合に、前記交付作動を中止する、交付中止部を、更に備えている、
請求項１又は２に記載の投票用紙交付装置。
【請求項４】
前記カラーセンサーは、前記装置本体の外壁に直接固定されている、
請求項１〜３のいずれか一つに記載の投票用紙交付装置。
【請求項５】
前記カラーセンサーは、前記装置本体にケーブルで接続されて設けられており、又は、前記装置本体とは別体であり且つ前記装置本体に接続されたコントローラ部に、ケーブルで接続されて設けられている、
請求項１〜３のいずれか一つに記載の投票用紙交付装置。
【請求項６】
前記カラーセンサーは、スティック型又は用紙挟み型の形態を有している、
請求項５記載の投票用紙交付装置。
【請求項７】
前記基準指標物は、交付予定の正規の投票用紙自体であり、又は、交付予定の正規の投票用紙と同じ色情報を有する物品である、
請求項１〜６のいずれか一つに記載の投票用紙交付装置。
【請求項８】
前記選挙種別入力手段は、前記装置本体内に設けられた選挙種別指定スイッチ、又は、前記装置本体とは別体であり且つ前記装置本体に接続されたコントローラ部に設けられた選挙種別指定スイッチ、を備えている、
請求項１〜６のいずれか一つに記載の投票用紙交付装置。
【請求項９】
前記選挙種別入力手段は、選挙種別の識別コードが付された選挙種別表示板から、前記識別コードを読み取る、選挙種別識別コード読取センサーを、備えている、
請求項１〜６のいずれか一つに記載の投票用紙交付装置。
【請求項１０】
前記開閉蓋を開く度に、前記投票用紙の色情報を前記カラーセンサーで読み取る作業を、操作者に案内するアナウンスを、報知する、報知部を、更に備えている、
請求項１〜９のいずれか一つに記載の投票用紙交付装置。
【請求項１１】
前記読取色情報設定部を非作動状態に設定できる、読取非作動設定手段を、更に備えている、
請求項１〜１０のいずれか一つに記載の投票用紙交付装置。
【請求項１２】
前記データテーブルに記憶されている前記正規色情報を、任意の別の正規色情報に変更できる、正規色情報変更手段を、更に備えている、
請求項１〜１１のいずれか一つに記載の投票用紙交付装置。
【請求項１３】
前記投票用紙の前記色情報は、選挙種別毎に特定されている、
請求項１〜１２のいずれか一つに記載の投票用紙交付装置。
【発明の詳細な説明】
【技術分野】
【０００１】
本発明は、投票用紙を投票者に交付するための投票用紙交付装置に関する。
【背景技術】
【０００２】
従来から、選挙においては、投票用紙交付装置が用いられている。投票用紙交付装置は、多数枚の投票用紙を収容しており、操作者がスイッチを押す度に、投票用紙を１枚ずつ送り出すようになっている。送り出された投票用紙は、操作者が抜き取って選挙人に手渡したり選挙人が自ら抜き取ったりすることによって、選挙人に交付される。それ故、投票用紙交付装置は、投票用紙を１枚ずつ確実に選挙人に交付でき、また、交付した投票用紙の枚数を正確に計数できるので、投票用紙の管理事務の効率化に役立っている。
【０００３】
ところで、複数の選挙が同時に実施される場合には、投票用紙は、複数種別あり、種別毎に、対応する投票用紙交付装置にセットされる。その際、投票用紙交付装置に、誤った種別の投票用紙をセットしてしまうと、投票用紙の誤交付が生じる。
【０００４】
このような投票用紙の誤交付を防止するために、本願出願人は、種々の投票用紙交付装置を提案している（特許文献１〜３）。
【先行技術文献】
【特許文献】
【０００５】
【特許文献１】特開平６−２１５２１８号公報
【特許文献２】特開２０１５−１４６１１４号公報
【特許文献３】特開２０１６−０９１３７３号公報
【発明の概要】
【発明が解決しようとする課題】
【０００６】
特許文献１の投票用紙交付装置では、特別な識別コードを投票用紙に予め印刷しておく必要がある。それ故、この装置は、準備作業が大掛かりとなり、実用化には至っていない。一方、特許文献２、３の投票用紙交付装置は、投票用紙の種別の目視確認を操作者に促すことができる。これらの装置によれば、投票用紙交付装置に誤った種別の投票用紙をセットしてしまうことを、有効に防止できる。
【０００７】
ところで、近年、選挙種別毎に、異なる色の投票用紙が使用されることがある。例えば、「参議院比例代表選挙」は「白色」、「衆議院小選挙区選挙」は「ピンク色」、「衆議院比例代表選挙」は「あさぎ色」等である。このように選挙種別と色とが対応付けられていれば、投票用紙の色を確認の対象要素とすることによって投票用紙の誤交付を容易且つ確実に防止できることが、期待される。
【０００８】
本発明は、投票用紙の色を自動で確認することによって投票用紙の誤交付を効果的に防止できる、投票用紙交付装置を、提供することを目的としている。
【課題を解決するための手段】
【０００９】
本発明の投票用紙交付装置は、開閉蓋を有する装置本体内に、複数枚の投票用紙を収容できる収容部と、前記収容部に収容された前記投票用紙を、１枚ずつ、前記収容部から取り出して、搬送路を通して、用紙取出口から交付させる、用紙交付機構と、を備えている、投票用紙交付装置において、（１）前記装置本体外に設置されており、対象物の色情報を読み取る、カラーセンサーと、（2a）前記カラーセンサーで読み取られた、基準指標物の色情報に基づいて、正規色情報を設定する、正規色情報設定部と、又は、（2b）選挙種別を入力する選挙種別入力手段、複数の選挙種別の各々に対応した正規色情報を、記憶している、データテーブル、及び、前記選挙種別入力手段によって入力された選挙種別に基づいて、該選挙種別に対応する正規色情報を、前記データテーブルから取得する、正規色情報取得部と、（３）前記カラーセンサーで読み取られた、前記収容部に収容する前の前記投票用紙の色情報を、読取色情報として設定する、読取色情報設定部と、（４）前記正規色情報設定部によって設定された又は前記正規色情報取得部によって取得された前記正規色情報と、前記読取色情報設定部によって設定された前記読取色情報と、を比較して、両者が一致するか否かを判定する、判定部と、を備えていることを特徴としている。
【発明の効果】
【００１０】
本発明によれば、収容部に収容する前の投票用紙の色情報を、交付予定の正規の投票用紙の正規色情報と比較し、両者が一致しない場合には、当該投票用紙を収容部に収容するのを中止できるので、間違った投票用紙が交付されるのを確実に防止できる。
【図面の簡単な説明】
【００１１】
【図１】本発明の一実施形態の投票用紙交付装置の外観斜視図である。
【図２】図１のII−II断面図である。
【図３】上カバーが開いた状態の装置本体の外観斜視図である。
【図４】制御部を含む交付装置のブロック図である。
【図５】作業検知センサーのオン状態を示す断面略図である。
【図６】作業検知センサーのオフ状態を示す断面略図である。
【図７】選挙種別指定スイッチを含むコントローラ部背面のスイッチ群を示す図である。
【図８】データテーブルに記憶させるデータを示す図である。
【図９】カラーセンサーの別の例を示す斜視図である。
【図１０】カラーセンサーが外壁に設けられた例を示す側面図である。
【図１１】図１０のＸＩ−ＸＩ断面図である。
【図１２】別の例の作業検知センサーのオン状態を示す断面略図である。
【図１３】別の例の作業検知センサーのオフ状態を示す断面略図である。
【図１４】選挙種別入力手段の別の例である選挙名プレートの斜視図である。
【発明を実施するための形態】
【００１２】
本発明の投票用紙交付装置は、選挙種別毎に特定された色情報を有する投票用紙を交付する際に、有効に使用できる。よって、実施形態で用いる投票用紙は、選挙種別毎に特定された色情報を有している。なお、投票用紙の「色情報」は、ＲＧＢカラーモデルにおける、Ｒ値、Ｇ値、及びＢ値によって、規定されている。
【００１３】
（全体構成）
図１は、本発明の一実施形態の投票用紙交付装置の外観斜視図である。図２は、図１のII−II断面図である。この交付装置１０は、装置本体１とコントローラ部９とからなっている。ここでは、装置本体１とコントローラ部９とは、別体に設けられている。
【００１４】
（装置本体）
装置本体１は、略直方体形状の筐体であり、上カバー（開閉蓋）１１１を有している。図３は、上カバー１１１が開いた状態の装置本体１の外観斜視図である。上カバー１１１は、装置本体１の上壁１１の略後半部と後壁１５の上部とが一体となって構成されている。上カバー１１１は、前縁部１１２を支点として、上下に回動することにより、開閉するようになっている。
【００１５】
装置本体１は、内部に、複数枚の投票用紙Ｐを収容する収容部２と、収容部２において最前端に位置する１枚の投票用紙Ｐを、収容部２から取り出して、搬送路３１を通して搬送して、用紙取出口３２から交付させる、用紙交付機構３と、用紙交付機構３の途中から、搬送中の投票用紙Ｐを回収する、回収機構４と、回収された投票用紙Ｐを収容する回収部５と、を有している。上カバー１１１は、回収部５の一部及び収容部２の全部を覆っている。上カバー１１１は、外部から収容部２を視認できるように構成されており、具体的には、透明に形成されている。
【００１６】
装置本体１は、後壁１５の片隅に、電源１０３（図４）からの通電をオン・オフする電源スイッチ１０１と、電源へのコネクタ１０２と、を有している。更に、装置本体１は、装置全体の作動を制御する制御部７（図４）を有している。図４は、制御部７を含む交付装置１０のブロック図である。制御部７は、ＣＰＵ、ＲＯＭ、ＲＡＭ等により、実現されている。
【００１７】
（コントローラ部）
コントローラ部９は、コード９１を介して、装置本体１の制御部７に接続されており、制御部７に制御信号を送信するようになっている。コントローラ部９は、操作キー９２、９３、表示パネル９４、確認スイッチ９５、及び消音スイッチ９６等を、有している。
【００１８】
確認スイッチ９５は、押されることによってオンするようになっている。また、確認スイッチ９５は、表示ランプを構成するＬＥＤと一体となっている。ＬＥＤとしては、白色ＬＥＤが好ましく用いられている。
【００１９】
（収容部）
収容部２は、複数枚の投票用紙Ｐを収容する空間として構成されており、立壁２１と底壁２２と両側壁２３とで囲まれている。立壁２１は、上部が前になるように少し傾斜しており、収容部２と用紙交付機構３とを隔てている。底壁２２は、用紙交付機構３に向けて少し低くなるように傾斜している。投票用紙Ｐは、図２に示されるように、立壁２１に沿うように立てた状態で、且つ、立壁２１側から重ねた状態で、すなわち、縦積み形式で積載された状態で、収容部２に収容される。底壁２２には、収容された投票用紙Ｐを立壁２１に向けて押し付ける押さえ部材２５が設けられている。押さえ部材２５は、透明な板体であり、前後方向（矢印Ｙ方向）に移動可能に設けられており、スプリング２６によって立壁２１側へ常時付勢されている。
【００２０】
（用紙交付機構）
用紙交付機構３は、操作キー９２又は９３を１回オンすると、次のように１回作動するようになっている。すなわち、図２に示されるように、まず、取出ローラ３３１及び捌き部材３３２によって、収容部２において最前端に位置している投票用紙Ｐが、収容部２から取り出され、搬送路３１へ送り出される。このとき、偏心ローラ３３３が、立壁２１から収容部２内へ周期的に突出するように回転して、重なっている投票用紙Ｐを揺動させるので、投票用紙Ｐ同士の間に隙間が生じ、１枚の投票用紙Ｐが取り出しやすくなる。搬送路３１に送り出された投票用紙Ｐは、搬送ローラ３４１、３４２、３４３によって、用紙取出口３２まで搬送される。投票用紙Ｐは、抜き取り検出部材３５１を回動させながら搬送されて、用紙取出口３２から突出し、回動から復帰した抜き取り検出部材３５１によって、下部が押さえられ、これによって、一部が用紙取出口３２から突出した状態で止まる。なお、抜き取り検出部材３５１は、スプリング（図示せず）によって復帰方向に常時付勢されている。そして、次の投票用紙Ｐの先端が１対の用紙先端検出センサー３６１によって検知されると、全てのローラの作動が停止する。次いで、用紙取出口３２から突出した投票用紙Ｐが、投票者によって抜き取られると、抜き取り検出部材３５１の回動がセンサー３６２によって検知され、装置本体１の前部に内蔵されたスピーカー６２から選挙種別の名前等を告げる音声が流れる。
【００２１】
（回収機構）
回収機構４は、搬送路３１内に突出するように回動可能な排除ガイド部材４１を、備えている。排除ガイド部材４１は、搬送路３１内に突出するように回動すると、搬送ローラ３４３との間に、搬送路３１と回収部５とを連通させる通路４０を構成し、それによって、搬送されて来る投票用紙Ｐを搬送路３１から回収部５へ逃がすようになっている。なお、排除ガイド部材４１は、例えば、投票用紙Ｐの重なりが用紙先端検出センサー３６１によって検知されると、回動して搬送路３１内に突出するように、制御部７によって制御されている。それ故、回収機構４によれば、重なった投票用紙Ｐが用紙取出口３２から突出するのを防止できる。
【００２２】
（回収部）
回収部５は、通路４０を搬送されて来た投票用紙Ｐが積載されていく空間として構成されており、底壁５１と両側壁５３とで囲まれている。底壁５１は、後方向に高くなるように傾斜している。両側壁５３は、例えば、収容部２を構成している両側壁２３と同じ壁である。
【００２３】
（照明具）
装置本体１は、内部に、照明具６１を有している。照明具６１は、上カバー１１１の前縁部１１２の内面に、設けられており、上カバー１１１が閉じた状態で、収容部２及び回収部５を照らすように、配置されている。照明具６１としては、演色性が優れているという観点から、白色ＬＥＤ又は白色系電球が好ましく用いられている。
【００２４】
（カラーセンサー）
コントローラ部９には、ケーブル９９を介して、カラーセンサー８１が接続されている。カラーセンサー８１は、スティック型の形態を有しており、先端に対象物をかざすことにより、対象物の色情報を読み取ることができる。なお、カラーセンサー８１は、専用のフォトＩＣによっても構成でき、又は、複数色のＬＥＤ及びフォトトランジスタによっても構成できる。
【００２５】
（制御部）
制御部７は、データ設定部７１、正規色情報取得部７９、読取色情報設定部７３、判定部７４、交付中止部７５、及び報知部７８等を、有している。
【００２６】
（報知部）
報知部７８は、上カバー１１１を開く度に、投票用紙の色情報をカラーセンサー８１で読み取る作業を、操作者に案内するアナウンスを、スピーカー６２から報知するようになっている。
【００２７】
なお、上カバー１１１の開閉は、例えば、次のような作業検知センサー６５によって検知される。作業検知センサー６５は、図５及び図６に示されるように、上カバー１１１の前縁部１１２付近に設けられている。作業検知センサー６５は、スイッチ本体６５１とアクチュエータ６５２と操作体６５３とからなるマイクロスイッチで構成されている。操作体６５３は、上カバー１１１の前縁部１１２の回動軸と共に回動するように、前縁部１１２に固定されている。作業検知センサー６５は、上カバー１１１が閉じている時は、図５に示されるように、操作体６５３がアクチュエータ６５２を押した状態、すなわち、オン状態であり、上カバー１１１が開いている時は、図６に示されるように、操作体６５３がアクチュエータ６５２から離れた状態、すなわち、オフ状態である。これにより、作業検知センサー６５は、上カバー１１１の開閉をオン・オフで検知するようになっている。
【００２８】
（記憶部）
制御部７には、記憶部７７が接続されている。記憶部７７は、複数種類の選挙種別の名前と各選挙種別に対応した色情報すなわち正規色情報とを記憶するためのデータテーブル７７１を有している。
【００２９】
（選挙種別入力手段）
選挙種別入力手段は、コントローラ部９に設けられた選挙種別指定スイッチを、備えている。具体的には、図７に示されるように、コントローラ部９の背面には、種々のスイッチが設けられている。スイッチ９０１は、有権者数を入力すると表示パネル９４に投票率を表示させる「有権者数スイッチ」である。スイッチ９０２は、都道府県及び区市町村を選択する「使用地域スイッチ」である。スイッチ９０４は、アナウンスを許可するか否かを選択する「アナウンス許否スイッチ」である。スイッチ９０５は、アナウンサーの性別及びアナウンスのタイミングを選択する「アナウンススイッチ」である。スイッチ９０６は、音量を小さくする「音量−スイッチ」である。スイッチ９０７は、音量を大きくする「音量＋スイッチ」である。スイッチ９０８は、投票用紙の枚数表示を「０」にする「クリアスイッチ」である。スイッチ９０９は、用紙の種別を登録する「用紙設定スイッチ」である。そして、スイッチ９０３が、選挙種別を選択して指定する「選挙種別指定スイッチ」である。
【００３０】
［作動］
次に、上記構成の交付装置１０の作動について、説明する。
【００３１】
（１）データ設定作業
データ設定作業は、データテーブル７７１に、複数種類の選挙種別の名前と各選挙種別に対応した正規色情報とを記憶させる。例えば、図８に示されるようなデータを記憶させる。このデータは、第１〜第５選挙種別の名前と、第１〜第５選挙種別に対応した第１〜第５正規色情報と、を含んでいる。正規色情報は、所定範囲のＲ値と、所定範囲のＧ値と、所定範囲のＢ値とによって、規定されている。すなわち、図８において、第１選挙種別に対応する第１正規色情報は、Ｖ１〜Ｖ２のＲ値と、Ｖ３〜Ｖ４のＧ値と、Ｖ５〜Ｖ６のＢ値とによって、規定されており、第２〜第５選挙種別に対応した第２〜第５正規色情報も、それぞれ、同様である。データ設定作業は、具体的には、次の（ａ）又は（ｂ）のように行う。なお、以下では、図８のデータを記憶させる場合について説明する。
【００３２】
（ａ）まず、選挙種別に対応した色情報を有する基準紙を、選挙種別毎に用意する。すなわち、第１〜第５選挙種別に対応した第１〜第５基準紙を用意する。なお、色情報は、Ｒ値とＧ値とＢ値とによって規定されている。次に、電源スイッチ１０１をオンして、第１〜第５基準紙の色情報を、それぞれ、カラーセンサー８１に、読み取らせる。そうすると、データ設定部７１が、読み取られた第１〜第５基準紙の色情報に基づいて第１〜第５正規色情報をそれぞれ算出し、算出した第１〜第５正規色情報を対応する第１〜第５選挙種別と紐付けてデータテーブル７７１に記憶させる。
【００３３】
（ｂ）まず、代表的な選挙種別に対応した色情報を有する基準紙１枚のみを、用意する。すなわち、例えば、第１選挙種別に対応した第１基準紙を用意する。なお、色情報は、Ｒ値とＧ値とＢ値とによって規定されている。次に、電源スイッチ１０１をオンして、第１基準紙の色情報を、カラーセンサー８１に、読み取らせる。そうすると、データ設定部７１が、読み取られた第１基準紙の色情報に基づいて第１正規色情報を算出し、算出した第１正規色情報を対応する第１選挙種別と紐付けてデータテーブル７７１に記憶させるとともに、読み取られた第１基準紙の色情報に基づいて第２〜第５正規色情報をそれぞれ算出し、算出した第２〜第５正規色情報を対応する第２〜第５選挙種別と紐付けてデータテーブル７７１に記憶させる。
【００３４】
なお、データ設定作業は、通常は、工場出荷時に行う。よって、上記作業が終了すると、操作者は、電源スイッチ１０１をオフして、交付装置１０を梱包する。
【００３５】
（２）初期設定作業
交付装置１０を開梱した操作者は、まず、初期設定作業を行う。初期設定作業は、交付装置１０によって交付する正規の投票用紙の「選挙種別」及び「正規色情報」を特定する。
【００３６】
(2-1)操作者は、装置本体１の電源スイッチ１０１をオンする。そうすると、設定作業の案内音声がスピーカー６２から流れ始める。
【００３７】
(2-2)まず、「選挙種別指定スイッチ９０３を押して選挙種別を選択し、確認スイッチ（ＳＷ）を押して下さい」との案内音声が流れる。操作者は、案内音声に従って、選挙種別指定スイッチ９０３を押して選挙種別を選択した後、確認スイッチ９５を押す。
【００３８】
確認スイッチ９５が押されると、正規色情報取得部７９が、作動する。正規色情報取得部７９は、選挙種別指定スイッチ９０３によって選択された選挙種別に基づいて、当該選挙種別に対応する正規色情報を、データテーブル７７１から取得する。これにより、この交付装置１０によって交付する投票用紙の「選挙種別」及び「正規色情報」が特定される。
【００３９】
(2-3)そして、例えば選挙種別として「参議院比例代表」を選定している場合には、「参議院比例代表を選定」及び「正しければ確認スイッチを押して下さい」との案内音声が流れる。操作者が確認スイッチ９５を押すと、初期設定作業が終了する。
【００４０】
（３）交付作業
(3-1)確認スイッチ９５が押されると、「上カバーを開けて下さい」との案内音声が流れる。案内音声に従って、操作者が、上カバー１１１を開けると、作業検知センサー６５及び報知部７８が作動して、「これからセットする投票用紙に、センサーをかざして下さい」との案内音声が流れる。
【００４１】
(3-2)案内音声に従って、操作者が、投票用紙にカラーセンサー８１をかざすと、カラーセンサー８１、読取色情報設定部７３、判定部７４、及び交付中止部７５が作動する。カラーセンサー８１は、かざされた投票用紙の色情報を読み取る。読取色情報設定部７３は、カラーセンサー８１によって読み取られた投票用紙の色情報を、読取色情報として設定する。判定部７４は、正規色情報取得部７９によって取得された正規色情報と、読取色情報設定部７３によって設定された読取色情報と、を比較して、両者が一致するか否かを判定する。なお、判定部７４は、読取色情報のＲ値、Ｇ値、及びＢ値の各値が、正規色情報のＲ値、Ｇ値、及びＢ値の各範囲に、含まれない場合には「不一致」と判定し、含まれる場合には「一致」と判定する。交付中止部７５は、判定部７４による判定結果が「不一致」である場合に、例えば用紙交付機構３の作動を中止することによって、交付作動を中止するとともに、コントローラ部９の表示パネル９４に「用紙が間違っています」と表示したりスピーカー６２から「用紙が間違っています」と報知したりすることによって警告を発する。
【００４２】
(3-3a)判定部７４による判定結果が「不一致」である場合とは、初期設定作業によって選定された選挙種別とは異なる投票用紙をセットしようとしている場合である。その場合には、操作者は、セットしようとしている投票用紙が間違っていることに気付かされるので、投票用紙のセットを中止できる。更に、仮に投票用紙をセットしたとしても、交付作動が中止されているので、間違った投票用紙は交付されない。
【００４３】
(3-3b)判定部７４による判定結果が「一致」である場合とは、初期設定作業によって選定された選挙種別と同じ投票用紙をセットしようとしている場合である。その場合には、「白いレバーを突きあたりまで引いて下さい」及び「用紙をよくさばいてセットして下さい」の案内音声が流れる。操作者は、案内音声に従って、上カバー１１１を開けて、投票用紙を収容部２に積載し、その後、上カバー１１１を閉じる。操作者は、投票用紙が間違っていないことを認識できているので、安心して、投票用紙をセットすなわち収容部２に収容できる。なお、レバーは、押さえ部材２５である。そして、操作者は、交付作業を開始する。すなわち、操作者は、投票者が一人来ると、操作キー９２又は９３を１回オンする。このとき、投票者が男性の場合には男性用の操作キー９２をオンし、投票者が女性の場合には女性用の操作キー９３をオンする。
【００４４】
［効果］
上記構成の交付装置１０によれば、次のような効果を発揮できる。
【００４５】
（ａ）投票用紙をセットする前に、投票用紙の正誤、すなわち、投票用紙が交付装置１０の交付予定の正規の投票用紙であるか否か、を判断できるので、間違った投票用紙がセットされるのを防止できる。
【００４６】
（ｂ）仮に間違った投票用紙がセットされたとしても、交付中止部７５によって交付作動は中止されているので、間違った投票用紙が交付されるのを防止できる。
【００４７】
（ｃ）判定部７４は、読取色情報のＲ値、Ｇ値、及びＢ値の各値が、正規色情報のＲ値、Ｇ値、及びＢ値の各範囲に、含まれるか否かによって、判定するので、融通のある判定を実行できる。例えば、時間の経過に起因して、投票用紙が僅かに色褪せたりカラーセンサー８１の感度が僅かに変動したりした場合でも、判定部７４は、そのような僅かな差異に捕らわれることなく、正当な判定結果を得ることができる。
【００４８】
（ｄ）正規色情報取得部７９は、正規色情報を、データテーブル７７１から取得するので、作業性良く取得できる。
【００４９】
（ｅ）基準紙をカラーセンサー８１にかざすだけでデータ設定作業を実行できるので、作業性を向上できる。
【００５０】
［変形構成］
上記構成の交付装置１０は、次のような変形構成を採用してもよい。
【００５１】
（ｉ）制御部７が、正規色情報取得部７９に代えて、正規色情報設定部を、有している。正規色情報設定部は、カラーセンサー８１で読み取られた、基準指標物の色情報に基づいて、正規色情報を設定するようになっている。これによれば、選挙種別入力手段及びデータテーブルを、不要にできる。なお、基準指標物は、交付予定の正規の投票用紙自体である。又は、基準指標物は、交付予定の正規の投票用紙と同じ色情報を有しており、例えば、正規の投票用紙と同じ素材の指標用紙が薄板に貼り付けられて構成されている。
【００５２】
（ii）カラーセンサー８１が、ケーブルを介して、装置本体１に直接に接続されている。
【００５３】
（iii）カラーセンサー８１が、図９に示されるような用紙挟み型の形態を、有している。これによれば、投票用紙を先端上部８１５と先端下部８１６とで挟むことにより、投票用紙の色情報を読み取ることができるので、安定した読取を実行できる。
【００５４】
（iv）カラーセンサー８１が、装置本体１の外壁に直接固定されている。具体的には、図１０及び図１０のＸＩ−ＸＩ断面図である図１１に示されるように、カラーセンサー８１が、装置本体１の一方の側壁２３の内部に、設けられている。側壁２３の外面には、カラーセンサー８１用の小窓８１８が形成されている。カラーセンサー８１は、小窓８１８の前にかざされた投票用紙の色情報を、読み取ることができる。これによれば、ケーブルを介してカラーセンサーを設ける必要がないので、交付装置１０の全体構成を簡素化できる。
【００５５】
（ｖ）上カバー１１１の開閉が、次のような作業検知センサー６７によって検知される。作業検知センサー６７は、図１２及び図１３に示されるように、上カバー１１１の前縁部１１２付近に設けられている。作業検知センサー６７は、遮光部６７１とフォトインタラプタ６７２とで構成されている。遮光部６７１は、上カバー１１１の前縁部１１２の回動軸と共に回動するように、前縁部１１２に固定されている。作業検知センサー６７は、上カバー１１１が閉じている時は、図１２に示されるように、遮光部６７１がフォトインタラプタ６７２を遮光した状態、すなわち、オン状態であり、上カバー１１１が開いている時は、図１３に示されるように、遮光部６７１がフォトインタラプタ６７２を遮光していない状態、すなわち、オフ状態である。これにより、作業検知センサー６７は、上カバー１１１の開閉をオン・オフで検知するようになっている。
【００５６】
（vi）選挙種別入力手段が、装置本体１内に設けられた選挙種別指定スイッチを、備えている。この選挙種別指定スイッチは、図７の選挙種別指定スイッチ９０３と同じ機能を有しており、例えば、立壁２１又は一方の側壁２３に、設けられている。
【００５７】
（vii）選挙種別入力手段が、選挙種別の識別コードが付された選挙種別表示板から、識別コードを読み取る、選挙種別識別コード読取センサーを、備えている。具体的には、次のとおりである。図１４は、選挙名プレート（選挙種別表示板）８を示している。選挙名プレート８の表面８０１には、選挙名、例えば「参議院比例代表選挙」が印刷されている。選挙名プレート８の裏面８０２には、４個の識別符号用印刷領域８２１、８２２、８２３、８２４が設定されており、４個の識別符号用印刷領域８２１、８２２、８２３、８２４は、例えば、白黒の４ビットの符号に色分けされる。このように、識別符号が印刷された領域の組み合わせによって、「選挙種別」が選択されるようになっている。一方、装置本体１の前面の上部には、選挙名プレート用取付面８５（図１）が設けられており、取付面８５には、識別符号を検知するための選挙種別識別コード読取センサーである４個の反射型センサー（図示せず）が設けられている。４個の反射型センサーは、選挙名プレート８が取付面８５に取り付けられた際に４個の領域８２１、８２２、８２３、８２４のそれぞれに対向するように、配置されている。したがって、選挙名プレート８が取付面８５に取り付けられると、４個の領域８２１、８２２、８２３、８２４の内の、識別符号が印刷された領域の組み合わせが、反射型センサーによって検知され、これにより、この交付装置１０で交付する投票用紙の「選挙種別」が選択される。そして、上述した選挙種別指定スイッチ９０３の場合と同様に、「選挙種別」が選択されると、確認スイッチ９５が押されることにより、正規色情報取得部７９が作動し、選挙名プレート８によって選択された「選挙種別」に基づいて、当該選挙種別に対応する正規色情報がデータテーブル７７１から取得される。これにより、この交付装置１０で交付する投票用紙の「選挙種別」及び「正規色情報」が特定される。
【００５８】
なお、この選挙種別入力手段は、上述した選挙種別指定スイッチすなわちコントローラ部９の背面の選挙種別指定スイッチ９０３及び／又は装置本体１内に設けられた選挙種別指定スイッチと併用するのが好ましい。
【００５９】
また、選挙名プレートとして、種々の選挙種別の表示を有さないで単に「投票用紙交付装置」という表示を有するプレートを、付属品として用意してもよい。該プレートも、ユーザーの希望に応じて取付面８５に取付可能となっている。但し、この場合は、選挙種別入力手段が別途必要になる。
【００６０】
（viii）投票用紙が、収容部２において平積み形式で積載されて収容されている。これによっても、上記構成の交付装置１０と同様の作用効果を奏する。
【００６１】
（ix）読取色情報設定部を非作動状態に設定できる、読取非作動設定手段を、更に備えている。読取非作動設定手段は、具体的には、図７に示されるようなコントローラ部９の背面のスイッチ群によって構成されている。すなわち、読取非作動設定手段は、電源スイッチ１０１をオフからオンにした状態で、スイッチ９０５を長押してサービスマンモードに入り、更にスイッチ９０１、９０２を押すことによって、「読取の作動／非作動」モードに入って非作動を選択することによって、実行される。これによれば、投票用紙が色情報を有していない選挙にも、交付装置１０を有効に使用できる。
【００６２】
（ｘ）データテーブル７７１に記憶されている正規色情報を、任意の別の正規色情報に変更できる、正規色情報変更手段を、更に備えている。正規色情報変更手段は、具体的には、図７に示されるようなコントローラ部９の背面のスイッチ群によって構成されている。すなわち、正規色情報変更手段は、電源スイッチ１０１をオフからオンにした状態で、スイッチ９０５を長押してサービスマンモードに入り、更にスイッチ９０１、９０２を押すことによって、「正規色情報再登録」モードに入って設定することによって、実行される。これによれば、データ設定作業が終了している交付装置１０を、急遽、予定していない選挙に使用する場合に、容易に対応できる。
【産業上の利用可能性】
【００６３】
本発明の投票用紙交付装置は、間違った投票用紙が交付されるのを確実に防止できるので、産業上の利用価値が大である。
【符号の説明】
【００６４】
１  装置本体
２  収容部
３  用紙交付機構
７３  読取色情報設定部
７４  判定部
７５  交付中止部
７７１  データテーブル
７９  正規色情報取得部
１０  投票用紙交付装置
８１  カラーセンサー
９０３  選挙種別指定スイッチ
９９  ケーブル
【図１】
2020021425.tif 000003
【図２】
2020021425.tif 000004
【図３】
2020021425.tif 000005
【図４】
2020021425.tif 000006
【図５】
2020021425.tif 000007
【図６】
2020021425.tif 000008
【図７】
2020021425.tif 000009
【図８】
2020021425.tif 000010
【図９】
2020021425.tif 000011
【図１０】
2020021425.tif 000012
【図１１】
2020021425.tif 000013
【図１２】
2020021425.tif 000014
【図１３】
2020021425.tif 000015
【図１４】
2020021425.tif 000016